(57)【要約】 【課題】製造効率を高める両面ディスプレイおよびその製造方法を提供する。【解決手段】この両面ディスプレイにおいては、双方のディスプレイパネル２，３を電気的に接続する電気的接続手段として異方性導電材５が用いられている。この異方性導電材５を用いて双方のディスプレイパネル２，３を電気的に接続するには、一方の接続端子２１２に、液体状態の異方性導電材５を塗布し、この異方性導電材５を介して一方の接続端子２１２に他方の接続端子３１２を押しつけて接着させる。このときに、異方性導電材５は双方の接続端子２１２、３１２で圧せられた領域が外側へ押し出され、内部の導電性粒子５２が移動して互いに接触することで電気経路が形成される。その後、異方性導電材５に熱を加えることによりこの電気経路が確定し、これによって双方のディスプレイパネル２、３が電気的に接続される。【選択図】図４
2006163408.tif 000002
【特許請求の範囲】
【請求項１】
背面を向き合あわせて配置され、導電性の接続端子が双方の背面側に相対向して設けられた一対のディスプレイパネルと、この一対のディスプレイパネルの一方側に設けられ、双方の前記ディスプレイパネルを駆動する駆動回路と、双方の前記ディスプレイパネルの前記接続端子を電気的に接続する電気的接続手段とを備え、前記一対のディスプレイパネルの一方または他方が、前記駆動回路から出力された電気信号を前記電気的接続手段を介して他方または一方へ送るように構成された両面ディスプレイにおいて、
前記電気的接続手段を、異方性導電材により構成したことを特徴とする両面ディスプレイ。
【請求項２】
前記一対のディスプレイパネルはそれぞれ、透光性の基板と、この基板の背面に設けられて表示を行うディスプレイユニットとを備えているとともに、前記接続端子はそれぞれ前記基板の背面において前記ディスプレイユニットの周囲に設けられて、前記ディスプレイユニットに電気的に接続されたことを特徴とする請求項１記載の両面ディスプレイ。
【請求項３】
前記駆動回路は、前記異方性導電材に接続される一方の前記接続端子に電気的に接続して一方の前記ディスプレイパネルに設けられたことを特徴とする請求項２記載の両面ディスプレイ。
【請求項４】
双方の前記接続端子が前記異方性導電材により電気的に接続された状態で、双方の前記接続端子および双方の前記ディスプレイユニットを囲むようにして双方の前記基板の間を塞ぐ密封材を設けたことを特徴とする請求項２記載の両面ディスプレイ。
【請求項５】
前記一対のディスプレイパネルは、双方の前記基板の大きさが等しく形成されたことを特徴とする請求項２記載の両面ディスプレイ。
【請求項６】
前記一対のディスプレイパネルは、双方の前記ディスプレイユニットの表示部の大きさが等しく形成されたことを特徴とする請求項２記載の両面ディスプレイ。
【請求項７】
前記一対のディスプレイパネルは、双方の前記基板の大きさが異なるように形成されたことを特徴とする請求項２記載の両面ディスプレイ。
【請求項８】
前記一対のディスプレイパネルは、双方の前記ディスプレイユニットの表示部の大きさが異なるように形成されたことを特徴とする請求項２記載の両面ディスプレイ。
【請求項９】
前記一対のディスプレイパネルは、双方の前記ディスプレイユニットがＬＥＤを備え、外部からの電気信号により、このＬＥＤを発光させて表示を行うように構成されたものであることを特徴とする請求項１記載の両面ディスプレイ。
【請求項１０】
前記一対のディスプレイパネルは、双方の前記ディスプレイユニットがＯＬＥＤを備え、外部からの電気信号により、このＯＬＥＤを発光させて表示を行うように構成されたものであることを特徴とする請求項１記載の両面ディスプレイ。
【請求項１１】
透光性を有する一方の基板の背面に一方のディスプレイユニットを設置し、前記一方の基板の背面に設けられた接続端子にこのディスプレイユニットを電気的に接続する第一ディスプレイユニット基板接続工程と、
透光性を有する他方の基板の背面に他方のディスプレイユニットを設置し、前記一方の基板の前記接続端子と対向するように前記他方の基板の背面に設けられた接続端子にこのディスプレイユニットを電気的に接続する第二ディスプレイユニット基板接続工程と、
双方の前記接続端子を電気的接続手段を介して電気的に接続するディスプレイ接続工程とを備えた両面ディスプレイの製造方法において、
前記電気的接続手段に異方性導電材を用いたことを特徴とする両面ディスプレイの製造方法。
【請求項１２】
前記ディスプレイ接続工程において、前記異方性導電材および双方の前記ディスプレイユニットを囲むようにして双方の前記基板の間を密封させる工程を含めたことを特徴とする請求項１１記載の両面ディスプレイの製造方法。
【請求項１３】
前記ディスプレイ接続工程よりも前に、前記一方の基板または前記他方の基板に双方の前記ディスプレイユニットを駆動する駆動回路を設置して、設置した側の前記接続端子にこの駆動回路を電気的に接続する駆動回路接続工程を備えたことを特徴とする請求項１１記載の両面ディスプレイの製造方法。
【発明の詳細な説明】
【技術分野】
【０００１】
本発明は、両面ディスプレイおよびその製造方法に関する。
【背景技術】
【０００２】
現在、携帯電話等のモバイル機器にはディスプレイパネルが設けられているのが一般的になっている。また近年においては、例えば携帯電話の上側の筺体両面にディスプレイパネルが設けられたものがある。この場合、双方のディスプレイパネルは筺体裏面に設けられた大型のものと、筺体表面に設けられた小型のものとから構成されているのが一般的であり、大型のものは各種表示に用いられ、小型のものは着信情報および時刻の表示に用いられている。
【０００３】
一方、有機発光ダイオード（ＯＬＥＤ）は、フラットディスプレイ、照明設備、バックライトモジュール等に用いられることが益々多くなってきている。この有機発光ダイオードは周知のように軽量で且つ薄型であるため、両面ディスプレイの表示に使用されている。
【０００４】
図１０は、有機発光ダイオードを使用した従来の両面ディスプレイ１０１の縦断面図である。この両面ディスプレイ１０１は、背面を向き合わせて配置された一対のディスプレイパネル１０２，１０３と、一方のディスプレイパネル１０２に設けられた駆動回路１０４と、双方のディスプレイパネル１０２，１０３を電気的に接続するリボンコネクタ１０５とを備えている。
【０００５】
一方のディスプレイパネル１０２は、透明基板１２１と、透明基板１２１の背面１２１ａに設けられたディスプレイユニット１２２と、ディスプレイユニット１２２を保護するように透明基板１２１の背面１２１ａに設けられたカバー１２３とを備えている。
【０００６】
前記透明基板１２１には、背面１２１ａにおいてディスプレイユニット１２２の上方と下方とに導電性の接続端子１２１ｂが複数設けられている。一方、ディスプレイユニット１２２は、透明基板１２１の背面１２１ａと面接する側の面に回路が形成されており、この回路に前記複数の接続端子１２１ｂが電気的に接続されている。またこのディスプレイユニット１２２はＯＬＥＤを備えており、外部からの電気信号により、このＯＬＥＤを発光させて表示を行うように構成されている。
【０００７】
また他方のディスプレイパネル１０３は、透明基板１３１と、透明基板１３１の背面１３１ａに設けられたディスプレイユニット１３２と、ディスプレイユニット１３２を保護するように透明基板１３１の背面１３１ａに設けられたカバー１３３とを備えている。
【０００８】
透明基板１３１には、背面１３１ａにおいて一方の接続端子１２１ａと相対向するようにディスプレイユニット１３２の上方に導電性の接続端子１２１ｂが複数設けられている。一方、ディスプレイユニット１３２は、またこのディスプレイユニット１３２はＯＬＥＤを備えており、外部からの電気信号により、このＯＬＥＤを発光させて表示を行うように構成されている。
【０００９】
また前記駆動回路１０４は、一方の基板１２１の下側の接続端子１２１ｂに電気的に接続されたコネクタ１４１と、このコネクタ１４１に設けられた駆動回路本体１４２とを備えている。この駆動回路本体１４２はコネクタ１４１を介して外部から電気信号が入力されるとともに、入力された電気信号を利用して双方のディスプレイユニット１２２，１３２を駆動するように構成されている。
【００１０】
また前記リボンコネクタ１０５は可撓性の平面基板から形成されており、内側へ円弧状に曲げた状態で両端が双方の接続端子１２１ｂ，１３１ｂに溶接して接続されている。またこのリボンコネクタ１０５上には、複数の回路（図示せず）がリボンコネクタ１０５の長さ方向にそれぞれ平行にプリントされている。
【００１１】
そして、両面ディスプレイ１０１は、駆動回路１０４から出力した電気信号が一方のディスプレイユニット１２２からリボンコネクタ１０５の回路を通って他方のディスプレイユニット１３２へ流れることにより双方のディスプレイユニット１２２，１３２が駆動する。したがってこの両面ディスプレイ１０１は、複数の導電線を用いなくても双方のディスプレイパネル１０２，１０３を完全に電気的に接続して駆動させることが可能になっている。
【特許文献１】米国公開第２００４／００７５６２８号公報
【発明の開示】
【発明が解決しようとする課題】
【００１２】
しかしながらリボンコネクタ１０５は可撓性の平板状に形成されているため、その両端を双方の接続端子１２１ｂ，１３１ｂに緊密に接続することは難しい。したがって、このような両面ディスプレイ１０１は製造効率が良くなかった。
【００１３】
本発明は、かかる従来の課題に鑑みてなされたものであり、製造効率を高めることができる両面ディスプレイおよびその製造方法を提供することを目的とする。
【課題を解決するための手段】
【００１４】
前記課題を解決するために本発明の両面ディスプレイにおいては、背面を向き合あわせて配置され、導電性の接続端子が双方の背面側に相対向して設けられた一対のディスプレイパネルと、この一対のディスプレイパネルの一方側に設けられ、双方の前記ディスプレイパネルを駆動する駆動回路と、双方の前記ディスプレイパネルの前記接続端子を電気的に接続する電気的接続手段とを備え、前記一対のディスプレイパネルは一方または他方が、前記駆動回路から出力された電気信号を前記電気的接続手段を介して他方または一方へ送るように構成された両面ディスプレイにおいて、前記電気的接続手段を、異方性導電材により構成したことを特徴としている。
【００１５】
また本発明の両面ディスプレイにおいては、前記一対のディスプレイパネルはそれぞれ、透光性の基板と、この基板の背面に設けられて表示を行うディスプレイユニットとを備えているとともに、前記接続端子はそれぞれ前記基板の背面において前記ディスプレイユニットの周囲に設けられて、前記ディスプレイユニットに電気的に接続されたことを特徴としている。
【００１６】
また本発明の両面ディスプレイにおいては、前記駆動回路は、前記異方性導電材に接続される一方の前記接続端子に電気的に接続して一方の前記ディスプレイパネルに設けられたことを特徴としている。
【００１７】
また本発明の両面ディスプレイにおいては、双方の前記接続端子が前記異方性導電材により電気的に接続された状態で、双方の前記接続端子および双方の前記ディスプレイユニットを囲むようにして双方の前記基板の間を塞ぐ密封材を設けたことを特徴としている。
【００１８】
また本発明の両面ディスプレイにおいては、前記一対のディスプレイパネルは、双方の前記基板の大きさが等しく形成されたことを特徴としている。
【００１９】
また本発明の両面ディスプレイにおいては、前記一対のディスプレイパネルは、双方の前記ディスプレイユニットの表示部の大きさが等しく形成されたことを特徴としている。
【００２０】
また本発明の両面ディスプレイにおいては、前記一対のディスプレイパネルは、双方の前記基板の大きさが異なるように形成されたことを特徴としている。
【００２１】
また本発明の両面ディスプレイにおいては、前記一対のディスプレイパネルは、双方の前記ディスプレイユニットの表示部の大きさが異なるように形成されたことを特徴としている。
【００２２】
また本発明の両面ディスプレイにおいては、前記一対のディスプレイパネルは、双方の前記ディスプレイユニットがＬＥＤを備え、外部からの電気信号により、このＬＥＤを発光させて表示を行うように構成されたものであることを特徴としている。
【００２３】
また本発明の両面ディスプレイにおいては、前記一対のディスプレイパネルは、双方の前記ディスプレイユニットがＯＬＥＤを備え、外部からの電気信号により、このＯＬＥＤを発光させて表示を行うように構成されたものであることを特徴としている。
【００２４】
また本発明の両面ディスプレイの製造方法においては、透光性を有する一方の基板の背面に一方のディスプレイユニットを設置し、前記一方の基板の背面に設けられた接続端子にこのディスプレイユニットを電気的に接続する第一ディスプレイユニット接続工程と、透光性を有する他方の基板の背面に他方のディスプレイユニットを設置し、前記一方の基板の前記接続端子と対向するように前記他方の基板の背面に設けられた接続端子にこのディスプレイユニットを電気的に接続する第二ディスプレイユニット接続工程と、双方の前記接続端子を電気的接続手段を介して電気的に接続するディスプレイ接続工程とを備えた両面ディスプレイの製造方法において、前記電気的接続手段に異方性導電材を用いたことを特徴としている。
【００２５】
また本発明の両面ディスプレイの製造方法においては、前記ディスプレイ接続工程において、前記異方性導電材および双方の前記ディスプレイユニットを囲むようにして双方の前記基板の間を密封させる工程を含めたことを特徴としている。
【００２６】
また本発明の両面ディスプレイの製造方法においては、前記ディスプレイ接続工程よりも前に、前記一方の基板または前記他方の基板に双方の前記ディスプレイユニットを駆動する駆動回路を設置して、設置した側の前記接続端子にこの駆動回路を電気的に接続する駆動回路接続工程を備えたことを特徴としている。
【発明の効果】
【００２７】
本発明の両面ディスプレイおよびその製造方法においては、電気的接続手段として異方性導電材を使用した。これにより双方のディスプレイパネルの接続端子を電気的に接続するには、一方の接続端子に異方性導電材を接着させた後、この異方性導電材を介して前記接続端子に他方の接続端子を押しつけて接着させれば電気経路が容易に確保されるので、電気的接続作業性を高めることができる。よって、製造効率を高めることができる。
【発明を実施するための最良の形態】
【００２８】
本発明についての目的、特徴、長所が一層明確に理解されるよう、以下に実施の形態を例示し、図面を参照しながら詳細に説明する。
【００２９】
第１の実施の形態：
図１は本発明の第１の実施の形態を示す両面ディスプレイ１の縦断面図である。この両面ディスプレイ１は、背面を向き合わせて配置された一対のディスプレイパネル２，３と、一方のディスプレイパネル２に設けられた駆動回路４と、双方のディスプレイパネル２，３を電気的に接続する本発明の電気的接続手段である異方性導電材５と、双方のディスプレイパネル２，３の間を密封する密封材６、６とを備えている。
【００３０】
一方のディスプレイパネル２は、図２にも示すように、透明基板２１と、透明基板２１の背面２１１の中央部分に設けられたディスプレイユニット２２とを備えている。
【００３１】
透明基板２１には、背面２１１においてディスプレイユニット２２の周囲全体にわたって導電性の接続端子２１２が複数設けられており、これらの接続端子２１２はディスプレイユニット２２に電気的に接続されている。一方、ディスプレイユニット２２はＯＬＥＤを備えており、外部からの電気信号により、このＯＬＥＤを発光させて表示を行うように構成されている。
【００３２】
また図１に示すように他方のディスプレイパネル３は前記一方のディスプレイパネル２と同じ大きさに形成されており、図３にも示すように透明基板３１と、透明基板３１の背面３１１に設けられたディスプレイユニット３２とを備えている。
【００３３】
透明基板３１は一方の透明基板２１と同じ大きさに形成されている。またこの透明基板３１には、背面３１１においてディスプレイユニットの周囲全体に、一方の各接続端子２１２と相対向するように複数の導電性の接続端子３１２が設けられている。
【００３４】
一方、ディスプレイユニット３２は、表示部３２１と、表示部３２１の周縁に結合された基板３２２とを備えている。この基板３２２には回路が設けられており、この回路は接続端子３１２と表示部３２１とを電気的に接続するとともに、接続端子３１２、３１２同士を電気的に接続するように形成されている。したがって、他方のディスプレイパネル３は、接続端子３１２から入力された外部の電気信号を基板３２２を介して表示部３２１へ送るとともに、基板３２２と他方の接続端子３１２と異方性導電材５とを介して一方のディスプレイパネル２へ送るように構成されている。
【００３５】
一方、表示部３２１は、一方のディスプレイパネル２のディスプレイユニット（表示部）２２よりも大きさが小さく設定されている。さらにこの表示部３２１はＯＬＥＤを備えており、基板３２２の回路から送られた電気信号に基づき、このＯＬＥＤを発光させて表示を行うように構成されている。
【００３６】
また図１に示すように駆動回路４は、一方のディスプレイパネル２の接続端子２１２に電気的に接続されたコネクタ４１と、このコネクタ４１に電気的に接続して設けられた駆動回路本体４２とを備えている。この駆動回路本体４２はチップオンフィルムの方式で形成されたフレキシブルプリント回路板から成り、コネクタ４１を介して外部から電気信号が入力されるとともに、入力された電気信号により、双方のディスプレイユニット２、３を駆動するように構成されている。
【００３７】
また異方性導電材５は、双方のディスプレイユニット２、３の周囲に設けられた複数の接続端子２１２、３１２を電気的に接続して設けられている。またこの異方性導電材５は熱硬化性の接着剤であって、図４に示すようにエポキシ樹脂５１と、エポキシ樹脂５１内に散在した多数の導電性粒子５２とから構成されている。エポキシ樹脂５１は、導電性粒子５２が通常状態で接触して導電材５自体が導電性を帯びるのを防ぐために粘度が設定されている。また導電性粒子５２には金やニッケル等が使用されている。
【００３８】
そして異方性導電材５は、双方の接続端子２１２、３１２を接続した状態では、双方の接続端子２１２、３１２によって圧せられた領域が外側へ押し出されて、図４（ｂ）に示すように内部の導電性粒子５２が互いに接触して電気経路が形成されており、これによって双方のディスプレイパネル２、３が電気的に接続されている。
【００３９】
また密封材６、６は紫外線硬化性の接着剤から構成されている。そして密封材６、６は、図１に示すように双方の複数の接続端子２１２，３１２が異方性導電材５で電気的に接続された状態で、双方の接続端子２１２、３１２および双方のディスプレイユニット２２，３２を囲むようにそれぞれ帯状に設けられている。
【００４０】
図５は両面ディスプレイ１の製造工程を示すフローチャート４００である。以下に各製造工程の内容を説明する。
【００４１】
接続端子設置工程（ステップＳ４０１）：双方の透明基板２１，３１の周縁部に複数の接続端子２１２、３１２をそれぞれ設置する。
【００４２】
駆動回路接続工程（ステップＳ４０２）：駆動回路４のコネクタ４１を透明基板２１の接続端子２１２に電気的に接続して、駆動回路４を透明基板２１の背面２１１側に設置する。
【００４３】
第１ディスプレイユニット接続工程（ステップＳ４０３）：一方の透明基板２１の背面２１１の中央部分に一方のディスプレイユニット２２を設置し、複数の接続端子２１２とこのディスプレイユニット２２とを電気的に接続する。
【００４４】
第２ディスプレイユニット接続工程（ステップＳ４０４）：他方の透明基板３１の背面３１１の中央部分に他方のディスプレイユニット３２を設置し、複数の接続端子３１２とこのディスプレイユニット３２とを電気的に接続する。
【００４５】
ディスプレイ接続工程（ステップＳ４０５）：まず一方の透明基板２１に設置された複数の接続端子２１２に、液状状態の異方性導電材５を塗布する（図４（ａ）参照）。次に密封材６、６をそれぞれ、一方の複数の接続端子２１２およびディスプレイユニット２２を囲むように透明基板２１の背面２１１に帯状に塗布する。
【００４６】
次に、他方のディスプレイパネル３の各接続端子３１２を、接続位置を合わせながら塗布された異方性導電材５を介して一方のディスプレイパネル２の各接続端子２１２に押しつけて接着させる（図４（ｂ）参照）。これと同時に、透明基板３１の裏面３１１を、密封材６、６を介して一方のディスプレイパネル２の透明基板２１の背面２１１に押しつけて接着させる。
【００４７】
このときに、異方性導電材５は双方の接続端子２１２，３１２によって圧せられた領域が外側へ押し出され、これに伴って内部の導電性粒子５２が異方性導電材５の中心方向に移動して互いに接触することで電気経路が形成される。その後、異方性導電材５に熱を加えることにより電気経路が確定される。このようにすることで双方のディスプレイパネル２，３は電気的に接続される。
【００４８】
最後に、電気的に接続された双方のディスプレイパネル２，３に紫外線を照射して密封材６、６を固化させることにより双方の透明基板２１、３１を密封する。
【００４９】
このように本実施の形態においては、双方ディスプレイパネル２，３を電気的に接続する際に図４で示したように、一方の複数の接続端子２１２に異方性導電材５を塗布し、この異方性導電材５を介して他方の接続端子３１２を押しつけて接着させれば電気経路が容易に確保されるので、従来よりも電気的接続作業性を高めることが可能になる。よって、本実施の形態の両面ディスプレイ１およびその製造方法においては製造効率を高めることができる。また密封材６、６を設けたことから、両面ディスプレイ１の内部を保護することができる。
【００５０】
第２の実施の形態：
図６は本発明の第２の実施の形態を示す両面ディスプレイ２０１の縦断面図である。なお本実施の形態では第１の実施の形態と同じ部分には同じ符号を付し、異なる部分を中心にして説明する。
【００５１】
この両面ディスプレイ２０１は、背面を向き合わせて配置された一対のディスプレイパネル２０２，２０３と、一方のディスプレイパネル２０２に設けられた駆動回路２０４と、双方のディスプレイパネル２０２，２０３を電気的に接続する本発明の異方性導電材５００と、双方のディスプレイパネル２０２，２０３の間を密封する密封材６、６とを備えている。
【００５２】
一方のディスプレイパネル２０２は、図７にも示すように、透明基板２２１と、透明基板２２１の背面２２１ａにおいてやや上側部分に設けられたディスプレイユニット２２２とを備えている。
【００５３】
透明基板２２１には、背面２２１ａにおいてディスプレイユニット２２の上側および左右側に導電性の接続端子２１２が複数設けられており、これらの接続端子２１２はディスプレイユニット２２２に電気的に接続されている。一方、ディスプレイユニット２２２はＯＬＥＤを備えており、外部からの電気信号により、このＯＬＥＤを発光させて表示を行うように構成されている。
【００５４】
また図６に示すように、他方のディスプレイパネル２０３は一方のディスプレイパネル２０２よりも小さく形成されており、図８にも示すように透明基板２３１と、透明基板２３１の背面２３１ａの中央部分に設けられたディスプレイユニット２３２とを備えている。
【００５５】
透明基板２３１には、背面２３１ａにおいてディスプレイユニット２３２の上側および左右側に、一方の各接続端子２１２と相対向するように複数の導電性の接続端子３１２が設けられている。
【００５６】
一方、ディスプレイユニット３２は、表示部２３２ａと、表示部２３２ａの周縁に結合された基板２３２ｂとを備えている。この基板２３２ｂには回路が設けられており、この回路は接続端子３１２と表示部２３２ａとを電気的に接続するとともに、接続端子３１２、３１２同士を電気的に接続するように形成されている。したがって、他方のディスプレイパネル２０３は、接続端子３１２から入力された外部の電気信号を基板２３２ｂを介して表示部２３２ａへ送るとともに、基板２３２ｂと他方の接続端子３１２と異方性導電材５００とを介して一方のディスプレイパネル２０２へ送るように構成されている。
【００５７】
またこの表示部２３２ａは一方のディスプレイパネル２０２のディスプレイユニット（表示部）２２２よりも大きさが小さく設定されている。さらにこの表示部２３２ａはＯＬＥＤを備えており、基板２３２ａの回路から送られた電気信号により、このＯＬＥＤを発光させて表示を行うように構成されている。
【００５８】
また図６や図７に示すように前記駆動回路２０４は、透明基板２２１の背面２２１ａにおいてディスプレイユニット２２２の下側に設けられ、ディスプレイユニット２２２に電気的に接続した駆動回路本体４２と、この駆動回路本体４２の下方に設けられ、駆動回路本体４２に電気的に接続して設けられた接続端子２１２と、この接続端子２１２に電気的に接続して設けられたコネクタ４１とを備えている。
【００５９】
また前記異方性導電材５００は、双方のディスプレイユニット２２２、２３２の三方（上側および左右側）に設けられた複数の接続端子２１２、３１２を電気的に接続して設けられている。またこの異方性導電材５００は図９に示すように膜状に形成されており、短円柱状の非導電性高分子材５０１と、非導電性高分子材５０２内において表面側に設けられた複数の導電層５０２とから構成されている。
【００６０】
そして異方性導電材５００は、双方の接続端子２１２、３１２を接続した状態では、双方の接続端子２１２、３１２で圧せられた領域が外側へ押し出され、図９（ｂ）に示すように導電層５０２が互いに接触して電気経路が形成されており、これによって双方のディスプレイパネル２０２，２０３が電気的に接続されている。
【００６１】
一方、前記密封材６は、図６に示すように、双方の複数の接続端子２１２，３１２が異方性導電材５００で電気的に接続された状態で、双方の接続端子２１２、３１２および双方のディスプレイユニット２２２，２３２を囲むようにそれぞれ帯状に設けられている。
【００６２】
また本実施の形態の両面ディスプレイ２０１の製造方法は、第１の実施の形態で説明した製造方法と同じ工程（接続端子設置工程、駆動回路接続工程、第１ディスプレイ接続工程、第２ディスプレイ接続工程、ディスプレイ接続工程）を備えている。ここでは、第１の実施の形態と異なるディスプレイ接続工程の内容について説明する。
【００６３】
まず一方の透明基板２２１の複数の接続端子２１２に異方性導電材５００を接着する（図９（ａ）参照）。次に、密封材６、６をそれぞれ、一方の透明基板２２１に設置された複数の接続端子２１２およびディスプレイユニット２２を囲むように透明基板２２１の背面２２１ａに帯状に塗布する。
【００６４】
次に、他方のディスプレイパネル２０３の各接続端子３１２を、接続位置を合わせながら接着された異方性導電材５００を介して一方のディスプレイパネル２０２の各接続端子２１２に押しつけて接着させる（図９（ｂ）参照）。これと同時に、透明基板２３１の背面２３１ａを、密封材６、６を介して一方のディスプレイパネル２０２の透明基板２２１の背面２２１ａに押しつけて接着させる。
【００６５】
このときに、異方性導電材５００は双方の接続端子２１２，３１２によって圧せられた領域が外側へ押し出され、これに伴って表面側にある導電層５０２が異方性導電材５の中心方向に移動して互いに接触することで電気経路が形成される。このようにすることで双方のディスプレイパネル２０２，２０３は電気的に接続される。
【００６６】
最後に、電気的に接続された双方のディスプレイパネル２，３に紫外線を照射して密封材６、６を固化させることにより、双方のディスプレイパネル２，３間を密封する。
【００６７】
このように本実施の形態においては、双方のディスプレイパネル２０２，２０３を電気的に接続する際に、一方の複数の接続端子２１２に異方性導電材５００を接着させ、この異方性導電材５００を介して他方の接続端子３１２を押しつけて接着させれば電気経路が容易に確保されるので、従来よりも電気的接続作業性を高めることが可能になる。よって、本実施の形態の両面ディスプレイ２０１およびその製造方法においては製造効率を高めることができる。また本実施の形態においても第１の実施の形態と同様に密封材６、６を設けたことから、両面ディスプレイ２０１の内部を保護することができる。
【００６８】
なお各実施の形態では、ディスプレイユニットにＯＬＥＤ方式を用いた両面ディスプレイに本発明を適用した場合について説明したが、ＬＥＤ方式、ＬＴＰＳ方式等、その他の方式を用いた両面ディスプレイに本発明を適用しても良い。
【００６９】
以上、本発明の好適な実施の形態を例示したが、これは本発明を限定するものではなく、本発明の精神及び範囲を逸脱しない限りにおいては、当業者であれば行い得る少々の変更や修飾を付加することは可能である。従って、本発明が保護を請求する範囲は、特許請求の範囲を基準とする。
【産業上の利用可能性】
【００７０】
以上説明したように本発明の両面ディスプレイおよびその製造方法においては、製造効率を高めることができるので、この技術分野で十分に利用することができる。
【図面の簡単な説明】
【００７１】
【図１】本発明の第１の実施の形態を示す両面ディスプレイの縦断面図である。
【図２】（ａ）は同実施の形態を示す一方のディスプレイパネルの背面図、（ｂ）は（ａ）のＡ−Ａ断面図である。
【図３】（ａ）は同実施の形態を示す他方のディスプレイパネルの背面図、（ｂ）は（ａ）のＢ−Ｂ断面図である。
【図４】同実施の形態において、異方性導電材を用いて双方のディスプレイパネルを電気的に接続する方法を示す図である。
【図５】同実施の実施の形態の両面ディスプレイの製造工程のフローチャートである。
【図６】本発明の第２の実施の形態を示す両面ディスプレイの縦断面図である。
【図７】（ａ）は同実施の形態を示す一方のディスプレイパネルの背面図、（ｂ）は（ａ）のＣ−Ｃ断面図である。
【図８】（ａ）は他方のディスプレイパネルの背面図、（ｂ）は（ａ）のＤ−Ｄ断面図である。
【図９】同実施の形態において、異方性導電材を用いて双方のディスプレイパネルを電気的に接続する方法を示す図である。
【図１０】従来の両面ディスプレイの縦断面図である。
【符号の説明】
【００７２】
１    両面ディスプレイ
２    一方のディスプレイ
３    他方のディスプレイ
４    駆動回路
５    異方性導電材
６    密封材
２１    透明基板
２２    ディスプレイユニット
３１    透明基板
３２    ディスプレイユニット
２０１    両面ディスプレイ
２０２    一方のディスプレイ
２０３    他方ディスプレイ
２０４    駆動回路
２１２    接続端子
２２２    ディスプレイユニット
２３２    ディスプレイユニット
２３２ａ    表示部
３１２    接続端子
３２１    表示部
【図１】
2006163408.tif 000003
【図２】
2006163408.tif 000004
【図３】
2006163408.tif 000005
【図４】
2006163408.tif 000006
【図５】
2006163408.tif 000007
【図６】
2006163408.tif 000008
【図７】
2006163408.tif 000009
【図８】
2006163408.tif 000010
【図９】
2006163408.tif 000011
【図１０】
2006163408.tif 000012